(57)【要約】【課題】高齢者や車椅子の利用者であっても塵芥を投入し易い塵芥投入装置を提供する。【解決手段】投入口２８を介して投入用スライダー２２に塵芥を投入可能とする塵芥投入装置１において、投入用スライダー２２の入口２２ｂの前方に設けられ、入口を臨む孔２０ａを有する壁部２０と、孔２０ａに取り付けられ、壁部２０の面に沿って上下動可能に設けられ、その枠内が投入口とされた額縁部２７と、額縁部２７に、投入口２８の下辺と平行な回転軸３０を中心に回動可能に設けられた投入バケット２４と、を有し、投入バケット２４には、投入口２８から投入用スライダー２２の入口へ塵芥を案内する案内面３２が設けられている塵芥投入装置１。【選択図】図３
2014034433.tif 000002
【特許請求の範囲】
【請求項１】
投入口を介して投入用スライダーに塵芥を投入可能とする塵芥投入装置において、
前記投入用スライダーの入口の前方に設けられ、前記入口を臨む孔を有する壁部と、
前記孔に取り付けられ、前記壁部の面に沿って上下動可能に設けられ、その枠内が前記投入口とされた額縁部と、
前記額縁部に、前記投入口の下辺と平行な回転軸を中心に回動可能に設けられた投入バケットと、を有し、
前記投入バケットには、前記投入口から前記投入用スライダーの入口へ塵芥を案内する案内面が設けられていることを特徴とする塵芥投入装置。
【請求項２】
前記案内面と前記投入用スライダーとは少なくとも一部が上方から視て重なっていることを特徴とする請求項１に記載の塵芥投入装置。
【請求項３】
前記投入バケットは前記壁部の外側に位置させて塵芥を受け入れる外側回動位置と、内側に位置させて塵芥を前記投入用スライダーに落下させる内側回動位置との間で回動可能とされ、
前記投入バケットを前記内側回動位置に位置させた状態で、前記額縁部を前記孔の上端から下端に向けて移動させ、前記案内面が前記投入用スライダーに接触することにより、前記投入バケットが前記外側回動位置に回動することを特徴とする請求項２に記載の塵芥投入装置。
【発明の詳細な説明】
【技術分野】
【０００１】
この発明は、投入口を介して投入用スライダーに塵芥を投入可能とする塵芥投入装置に関するものである。
【背景技術】
【０００２】
マンションなどの集合住宅においては、各家庭から出る塵芥を塵芥収集車が回収に来るまでの間、一時的に貯留する貯留機が設置されている場合がある。
この種の貯留機としては、ドラム内部に投入された塵芥をドラムの回転により排出口側に圧縮して貯留する回転ドラム式の貯留機が知られている。
この回転ドラム式の貯留機は、塵芥収集車の受入口に対応した高さ位置に排出口が配置されており、この排出口とは反対側に、利用者が塵芥を投入する投入口が配置されている。
利用者が投入した塵芥は、投入口からスライダーを介して斜め下方に滑り落ちることでドラム内に導入され、ドラム内で排出口側へと圧縮されて貯留された後、排出口を介して塵芥収集車に受け渡される。
【０００３】
上記回転ドラム式の貯留機は、排出口の位置を塵芥収集車の受入口の位置に対応させるために、排出口の高さを基準にしてドラムの設置高さを決めている。そのため、塵芥収集車が塵芥回収時に乗り入れるスペースのレベルと、貯留機が設置されるフロアレベルと、利用者が投入口に塵芥を投入する場所のフロアレベルとが同レベルの場合、投入口の位置が比較的高い位置となって、背丈の低い利用者が塵芥を投入し難かった。そこで、投入口に向けて昇降台や、階段等を設けて嵩上げするようにしたものがある（例えば、特許文献１参照）。
【０００４】
そのため、投入口に向けて昇降台や、階段等を設けて嵩上げすることが行われている（例えば、特許文献１参照）。
また、背の低い人であっても塵芥の投入を行い易いように、塵芥を比較的低い位置で受け取った後、モータ等の動力により上方に搬送して、貯留機の投入口へ反転投入する投入装置を備えたものが提案されている（例えば、特許文献２参照）。
【先行技術文献】
【特許文献】
【０００５】
【特許文献１】特許第４２５１６３８号公報
【特許文献２】特許第４３４５９２３号公報
【発明の概要】
【発明が解決しようとする課題】
【０００６】
しかしながら、上述した昇降台や階段を設けている場合、昇降台や階段の昇り降りが高齢者などにとって負担になるとともに、昇降台や階段が邪魔になって車椅子の利用者が投入口へ接近し難くなるという課題がある。
さらに、塵芥を上方に搬送する投入装置を設けている場合、低い位置で塵芥を投入できるものの、装置が複雑化してコストが上昇してしまうと共に、装置が大型化して設置自由度が低下してしまうという課題がある。
【０００７】
この発明は、このような事情を考慮してなされたもので、その目的は、装置が複雑化してコストが上昇したり設置自由度が低下することなしに、高齢者や車椅子の利用者であっても塵芥を投入し易い塵芥投入装置を提供することにある。
【課題を解決するための手段】
【０００８】
上記課題を解決するために、この発明は以下の手段を提供している。
本発明に係る塵芥投入装置は、投入口を介して投入用スライダーに塵芥を投入可能とする塵芥投入装置において、前記投入用スライダーの入口の前方に設けられ、前記入口を臨む孔を有する壁部と、前記孔に取り付けられ、前記壁部の面に沿って上下動可能に設けられ、その枠内が前記投入口とされた額縁部と、前記額縁部に、前記投入口の下辺と平行な回転軸を中心に回動可能に設けられた投入バケットと、を有し、前記投入バケットには、前記投入口から前記投入用スライダーの入口へ塵芥を案内する案内面が設けられていることを特徴とする。
【０００９】
上記構成によれば、投入バケットが回動可能に固定された額縁部が上下移動自在とされているため、額縁部を下方向に移動させることによって、昇降台や階段を設置することなく投入バケットを開閉して塵芥を投入バケットに収容することができる。
【００１０】
上記塵芥投入装置において、前記案内面と前記投入用スライダーとは少なくとも一部が上方から視て重なっていることが好ましい。
上記構成によれば、塵芥の投入時において塵芥がこぼれることを防止することができる。
【００１１】
上記塵芥投入装置において、前記投入バケットは前記壁部の外側に位置させて塵芥を受け入れる外側回動位置と、内側に位置させて塵芥を前記投入用スライダーに落下させる内側回動位置との間で回動可能とされ、前記投入バケットを前記内側回動位置に位置させた状態で、前記額縁部を前記孔の上端から下端に向けて移動させ、前記案内面が前記投入用スライダーに接触することにより、前記投入バケットが前記外側回動位置に回動することが好ましい。
【００１２】
上記構成によれば、額縁部を下方向に移動させる操作によって投入バケットが外側回動位置に回動するため、少ない操作で投入バケットを塵芥を受け入れ可の状態にすることができる。
【発明の効果】
【００１３】
本発明によれば、投入バケットが回動可能に固定された額縁部が上下移動自在とされているため、額縁部を下方向に移動させることによって、昇降台や階段を設置することなく投入バケットを開閉して塵芥を投入バケットに収容することができる。
【図面の簡単な説明】
【００１４】
【図１】本発明の実施形態における塵芥貯留システムの側面図である。
【図２】本発明の実施形態における塵芥投入装置の斜視図である。
【図３】上記塵芥投入装置の額縁部が上端位置にあるとともに投入バケットが内側回動位置に配置された側面図である。
【図４】上記塵芥投入装置の額縁部が下端位置にあるとともに投入バケットが外側回動位置に配置された側面図である。
【発明を実施するための形態】
【００１５】
以下、本発明の実施形態について図面を参照して詳細に説明する。
図１は、この実施形態の塵芥貯留システムを示す側面図であり、この図１に示す塵芥貯留システムは、主に、塵芥を内部に貯留する貯留機２と、該貯留機２の内部へ塵芥を投入するための塵芥投入装置１とを備えて構成される。
【００１６】
貯留機２は、家庭で出た塵芥を一時的に受入する装置であり、塵芥投入装置１は、貯留機２に塵芥を投入するための装置である。
貯留機２は、その一方側（図１の右側）から塵芥が投入可能とされる一方、投入された塵芥を他方側（図１の左側）から強制的に排出可能となっており、略円筒状の貯留本体部３と、この貯留本体部３を支持するフレーム部４とを備えている。フレーム部４は、貯留機２を下方から支える水平フレーム部５を備えており、この水平フレーム部５には、貯留本体部３の軸線に平行な回転軸を有する左右一対のローラー６が、貯留本体部３の軸方向に十分に離間してそれぞれ設けられている。これらローラー６の上には、貯留本体部３が載置されて、ローラー６の回動により、貯留本体部３がその軸回りに回転可能な状態でフレーム部４に支持される。
なお、以下の説明では、貯留本体部３の軸線方向において、塵芥を排出する側を単に排出側、塵芥が投入される側を単に投入側と称する。
【００１７】
水平フレーム部５の排出側には、貯留本体部３の軸線と平行な出力軸８を有する電動機７が取り付けられており、この電動機７の出力軸８の軸端部に取り付けられたプーリー９と、貯留本体部３の排出側に形成された傾斜部１０の外周との間にベルト１１が掛け回されている。電動機７を作動させることで、その回転動力がベルト１１を通じて貯留本体部３に伝達されて貯留本体部３が回動されることとなる。なお、ベルト１１を介して電動機７と貯留本体部３とを連係させる場合について説明したが、電動機７と貯留本体部３とを歯車機構を用いて連係することで貯留本体部３を回転駆動するようにしてもよい。
【００１８】
貯留本体部３の内部には、螺旋翼（図示せず）などの押し込み機構が設けられており、この押し込み機構によって、貯留本体部３が所定の圧縮方向に回動されると、貯留本体部３の内部に投入された塵芥が排出方向へ押し込まれて圧縮されるようになっている。
【００１９】
水平フレーム部５には、下方に向かって脚部１２が突出して設けられており、この脚部１２の長さを変化させることで貯留機２の設置レベル（フロアからの高さ）が調整可能になっている。通常、貯留機２の設置レベルは、貯留機２の排出口１３が塵芥収集車１５の受入口１４に対応した高さとなるように設定され、より具体的には、排出口１３から塵芥収集車１５の受入口１４に塵芥を円滑に受け渡すことが可能な高さとなるように設定される。
【００２０】
水平フレーム部５の排出側の端部には、鉛直上方に延びる縦フレーム部１６が立設されており、この縦フレーム部１６の上下略中央に貯留本体部３の排出口１３が支持されている。さらに、縦フレーム部１６には、電動機や油圧シリンダーなどによって排出口１３を開閉する出口開閉機構１７が設けられるとともに、排出口１３から排出された塵芥を塵芥収集車１５の受入口１４まで滑り落とすためのスライダー１８が取り付けられている。
【００２１】
上述した構成によれば、塵芥収集車１５の受入口１４がスライダー１８に対して適正な位置に配置された状態で、電動機７を駆動して貯留本体部３を回動させ、出口開閉機構１７により排出口１３を開放すると、貯留本体部３の内部に貯留されて排出側に圧縮された塵芥が、排出口１３から強制的に排出されて、スライダー１８を滑り落ちて塵芥収集車１５の受入口１４に導入されることとなる。
【００２２】
貯留機２は、貯留本体部３の投入側に建屋等の構造物の壁部２０が隣接するように配置されており、この壁部２０には、塵芥を貯留機２内部へ投入するための正面視略矩形の孔２０ａが穿設されている。この孔２０ａには、塵芥投入装置１が取り付けられ、塵芥投入装置１から貯留機２の内部下側に向かって角筒形状の投入用スライダー２２が取り付けられている。
【００２３】
投入用スライダー２２は、所定の傾斜角度（好ましくは４５度以上）を有し、その投入用スライダー２２の下端が貯留本体部３の内部に臨んでいる。ここで、上記所定の傾斜角度とは、塵芥投入装置１を用いて投入された塵芥が、投入用スライダー２２を円滑に滑り落ちることができる傾斜角度である。
また、投入用スライダー２２の下板２２ａの最も壁部２０側の縁、即ち、塵芥の滑り面における最も入口側の縁を投入縁２２ｂ（入口）とする。
【００２４】
図２は、本実施形態の塵芥投入装置１の斜視図であり、図３は、塵芥投入装置１の額縁部２７が上端位置にあるとともに投入バケット２４が内側回動位置に配置された側面図、図４は、額縁部２７が下端位置あるとともに投入バケット２４が外側回動位置に配置された側面図である。
【００２５】
図２〜図４に示すように、塵芥投入装置１は、所謂シーソー形の投入バケット２４を用いた投入方式の投入装置であり、壁部２０の矩形孔２０ａに取り付けられている。そして、この塵芥投入装置１は、使用の際は、投入バケット２４を外側回動位置（図４参照）にして壁部の手前側（図３及び図４の右側）から塵芥を投入バケット２４の収容部２５に収容し、投入バケット２４を内側回動位置（図３参照）にして壁部２０の奥側（図３及び図４の左側）に設置されている投入用スライダー２２に塵芥を投入するものである。
【００２６】
塵芥投入装置１は、壁部２０の矩形孔２０ａに設けられたレール２６と、レール２６に沿って上下方向に移動可能とされた額縁部２７と、額縁部２７に回動可能に取り付けられた投入バケット２４と、投入バケット２４の収容部２５に収容された塵芥を貯留機２（図１参照）の貯留本体部３（図１参照）に投入する投入用スライダー２２と、を有している。
【００２７】
レール２６は矩形孔２０ａの上下方向に延在する端面に設けられている。具体的には、矩形孔２０ａの横幅は、額縁部２７の横幅と略同一の寸法となるように形成されている。矩形孔２０ａの縦寸法は、額縁部２７の上下方向移動距離に合わせて形成されている。レール２６は、例えば所謂上げ下げ窓（サッシ）に使用されるような上下方向に延在する一組の突条によって構成されているものを採用することができる。
【００２８】
額縁部２７は、レール２６上を走行可能な略正方形の枠体であり、額縁部２７に形成されている略正方形の孔が投入口２８とされている。額縁部２７の上下方向に延在する二辺には、レール２６に対応する凸レールが形成されている。また、額縁部２７の手前側の面上であって、上下方向に延在する両側の桟には、それぞれ額縁操作ハンドル３８が設けられている。なお、図２に示す額縁操作ハンドル３８の形状は一例であって、額縁部２７を上下方向に走行操作できる形状であれば、図２の額縁操作ハンドル３８の形状に限られるものではない。
【００２９】
図３に示すように、投入口２８の下辺近傍、より具体的には下辺の左右両側には、支持部２９が設けられ、支持部２９には投入口２８の下辺に沿う（換言すれば、投入口２８の下端近傍に設けられ略水平な）回転軸３０が設けられている。
額縁部２７は、図３に示すような上端位置と、図２及び図４に示すような下端位置との間で移動可能とされている。即ち、額縁部２７に取り付けられた投入バケット２４は上下方向に移動可能であり、額縁部２７に設けられた投入口２８も上下方向に移動可能である。
また、下前板部３１は、投入バケット２４が内側回動位置にある場合に、額縁部２７の投入口２８を閉鎖するように、形状が投入口２８と略同じにされている。
【００３０】
投入バケット２４は、塵芥を収容可能な定量バケットとしての収容部２５を有し、この収容部２５を投入口２８の外側に位置させて塵芥を受け入れる外側回動位置（図２、図４参照）と、収容部２５を投入口２８の内側に位置させて塵芥を投入用スライダー２２に落下させる内側回動位置（図３参照）との間で回動可能とされる。
【００３１】
投入バケット２４は、内側回動位置において投入口２８の下部を閉塞する下前板部３１と、この下前板部３１の回転軸３０側に連なり、下前板部３１との角度が鈍角（例えば、１２０度程度）をなす下後板部３２と、これら下前板部３１と下後板部３２とを左右側方から挟み込む左右一対の下側板部３３と、左右方向に延在する帯状の前板部３４とを備えて構成される。
【００３２】
下後板部３２は、下前板部３１の回転軸３０側の端部に溶接や屈曲により連なって形成されており、下側板部３３は、下前板部３１と下後板部３２とのなす角度と同等の角度を有する扇状に形成されている。また、前板部３４は、下前板部３１の回転軸３０とは反対側の前辺から、下前板部３１とは略垂直に交わる方向に立ち上がるように溶接や屈曲形成等により下前板部３１に接続されている。
【００３３】
つまり、投入バケット２４が外側回動位置にされたときに、下前板部３１が底壁とされ、その周縁がそれぞれ下後板部３２、下側板部３３、前板部３４とで囲まれて、塵芥を収容する収容部２５が形成されている。
【００３４】
下後板部３２は、塵芥を投入用スライダー２２に案内するための案内面とて機能する。即ち、下後板部３２は、投入バケット２４が内側回動位置に位置すると、下後板部３２が投入口２８から投入用スライダー２２に向かって低くなるような斜面となる。また、下後板部３２が内側回動位置に位置している場合において、最も奥側の縁を案内縁３７とする。
【００３５】
投入バケット２４の下前板部３１には、投入バケット２４を回動操作するための操作ハンドル３６が取り付けられている。この操作ハンドル３６は、投入バケット２４が内側回動位置とされた場合の下前板部３１の外面の上辺近傍に配置される。このように上辺近傍に配置することで、操作ハンドル３６の位置を回転軸３０からより離間配置することができるため、投入バケット２４を開閉操作する際により小さな作動力で投入バケット２４を開閉できるようになる。なお、図２に示す操作ハンドル３６の形状は一例であって、投入バケット２４を回動操作できる形状であれば、図２の操作ハンドル３６の形状に限られるものではない。
【００３６】
図３、図４に示すように、投入バケット２４は、回転軸３０方向から見た重心位置Ｇが、回転軸３０を通る鉛直線Ｖよりも投入口２８の外側に位置した状態で放置されると、外側回動位置まで回動して、外側回動位置で保持される。一方、投入バケット２４は、回転軸３０方向から見た重心位置Ｇが上記鉛直線Ｖよりも投入口２８の内側に位置した状態で放置されると、内側回動位置まで回動して内側回動位置で保持される。
【００３７】
次に、投入バケット２４と、投入用スライダー２２との位置関係について説明する。
図３及び図４に示すように、投入バケット２４と投入用スライダー２２とは、投入バケット２４が外側回動位置に位置する場合、及び投入バケット２４が内側回動位置に位置する場合に下後板部３２と投入用スライダー２２の下板２２ａとが、上方から視て少なくとも一部において重なる（オーバーラップする）ように配置されている。
【００３８】
さらに詳しくは、投入バケット２４と投入用スライダー２２とは、図４に示すように、投入バケット２４が外側回動位置に位置する場合に、下後板部３２の案内縁３７が、投入用スライダー２２の投入縁２２ｂよりも僅かに奥側に位置するように配置されている。
【００３９】
次に、上述した実施形態の塵芥投入装置１の作用を説明する。
額縁部２７の上下方向の移動は、次の２つの方法を利用することができる。まず、額縁部の前面部に設けられた額縁操作ハンドル３８を手動で上下させることにより、額縁部２７を上下方向にスライドさせることができる。あるいは、投入バケット２４の操作ハンドル３６を上下させることによってスライドさせることができる。
【００４０】
そして、額縁部２７が図３に示すような上端位置にある場合、投入バケット２４が外側回動位置まで回動されると、収容部２５に塵芥を収納可能な状態となる。次いで、塵芥を収容部２５に収容した状態で、投入バケット２４を内側回動位置まで回動させることで、塵芥を貯留機２の内部に投入することができる。
【００４１】
また、額縁部２７を図３に示すような上端位置に位置させるとともに内側回動位置に配置させた状態から、図４に示すような下端位置に移動させると、額縁部２７が上端位置から下端位置に移動する途中で、投入バケット２４の案内縁３７が投入用スライダー２２の投入縁２２ｂに干渉する。即ち、額縁部２７を上端位置から下方に移動させる際に、下後板部３２が投入用スライダー２２の投入縁２２ｂに接触することによって、投入バケット２４が内側回動位置から外側回動位置に回動するように構成されている。
【００４２】
そして、塵芥を貯留機２の内部に投入する際には、額縁部２７を上端位置に戻し、次いで、投入バケット２４を内側回動位置に回動させる。
【００４３】
上記実施形態によれば、投入バケット２４が回動可能に固定された額縁部２７が上下移動自在とされているため、額縁部２７を下方向に移動させることによって、昇降台や階段を設置することなく投入バケット２４を開閉して塵芥を収容部２５に収容することができる。即ち、高齢者や車椅子の利用者であっても塵芥を投入し易い塵芥投入装置を提供することができる。
【００４４】
また、投入バケット２４を低い位置に移動可能にしつつ投入口２８の開口面積を従来同様に確保することができるため、収容部２５に従来と同等の大きさの塵芥を投入することが可能となる
【００４５】
また、上端位置にあるとともに、投入バケット２４が内側回動位置にある額縁部２７を、額縁操作ハンドル３８を操作することによって下方に移動させると、投入バケット２４の下後板部３２と投入用スライダー２２の投入縁２２ｂとが干渉することにより、投入バケット２４が外側回動位置に回動するため、投入バケット２４の開閉をより容易とすることができる。
【００４６】
また、投入バケット２４の下後板部３２と投入用スライダー２２の下板２２ａとが、上方から視て重なるように配置されていることにより、塵芥の投入時において塵芥がこぼれることがない。
【００４７】
なお、この発明は上述した実施形態の構成に限られるものではなく、その要旨を逸脱しない範囲で設計変更可能である。
例えば、投入バケット２４の下後板部３２を延長することによって、額縁部２７のスライド幅を延長することができる。
また、所定の電動機を用いて、額縁部２７上下方向のスライド移動を電動化してもよい。
また、投入バケット２４は、額縁部２７を上下方向に移動させることなく開閉可能である。即ち、投入バケット２４は、上下スライドの稼動範囲内の任意の位置で開閉が可能である。
【符号の説明】
【００４８】
１  塵芥投入装置
２０  壁部
２０ａ  孔
２２  投入用スライダー
２２ｂ  投入縁（入口）
２４  投入バケット
２７  額縁部
２８  投入口
３０  回転軸
３２  下後板部（案内面）
【図１】
2014034433.tif 000003
【図２】
2014034433.tif 000004
【図３】
2014034433.tif 000005
【図４】
2014034433.tif 000006